(57)【要約】【課題】  取り扱いが容易でかつインキの噴霧量の調節が容易なインキ噴霧装置を提供する。【解決手段】  少なくとも、一端部から一部が突出して設けられた円柱状のインキ誘導芯２を有するインキ貯蔵体１、一端部近傍に円形のオリフィス７を有する管状又は多角柱形状のケーシング６、及び該ケーシング内に圧縮空気を供給する中空弾性体からなる空気ポンプ８から構成されるインキ噴霧装置であって、（ｉ）インキ貯蔵体１の一部又は全部を覆い、かつ前記オリフィス７の内縁近傍にインキ誘導芯２の先端を位置させるようにケーシング６を配置させ、（ii）ケーシング６の他端部に空気ポンプ８を装着してオリフィス７に圧縮空気供給可能な構造とし、（iii）該圧縮空気をオリフィス７に供給することによりインキ誘導芯先端からインキ噴霧が可能なインキ噴霧装置。【選択図】  図１
2005205345.tif 000002
【特許請求の範囲】
【請求項１】
少なくとも、一端部から一部が突出して設けられた円柱状のインキ誘導芯を有するインキ貯蔵体（Ａ）、一端部近傍に円形のオリフィスを有する管状又は多角柱形状のケーシング（Ｂ）、及びケーシング（Ｂ）内に圧縮空気を供給する中空弾性体からなる空気ポンプ（Ｃ）から構成されるインキ噴霧装置であって、
（ｉ）インキ貯蔵体（Ａ）の一部又は全部を覆い、かつ前記オリフィスの内縁近傍にインキ貯蔵体（Ａ）のインキ誘導芯の先端を位置させるようにケーシング（Ｂ）を配置させ、
（ii）ケーシング（Ｂ）の他端部に空気ポンプ（Ｃ）を装着してケーシング（Ｂ）のオリフィス部に圧縮空気供給可能な構造とし、
（iii）該圧縮空気をケーシング（Ｂ）のオリフィス部に供給することによりインキ誘導芯先端部からインキ噴霧が可能な
インキ噴霧装置。
【請求項２】
インキ貯蔵体（Ａ）のインキ貯蔵容器部外形が円柱状又は多角柱状である請求項１に記載のインキ噴霧装置。
【請求項３】
インキ貯蔵容器内のインキ貯蔵が直液式又はインキ吸蔵体方式である請求項１又は２に記載のインキ噴霧装置。
【請求項４】
インキ誘導芯が多数の繊維状物を収束して自己融着もしくは接着剤により部分的に接着して一体化し、その網目状空隙をインキ流路として形成する繊維体である請求項１ないし３のいずれかに記載のインキ噴霧装置。
【請求項５】
インキ誘導芯の先端部形状が円錐形状であり、その円錐部の角度が１０〜１２０度である請求項１ないし４のいずれかに記載のインキ噴霧装置。
【請求項６】
前記円形のオリフィスがケーシング（Ｂ）の先端より内側に向かって突出するように設けられた凹部の中央部に配置されていることを特徴とする請求項１ないし５のいずれかに記載のインキ噴霧装置。
【請求項７】
前記円形のオリフィス径が２〜５ｍｍであることを特徴とする請求項１ないし６のいずれかに記載のインキ噴霧装置。
【請求項８】
前記インキ誘導芯の先端円錐面と前記オリフィスの内縁との直近距離が０．５〜２．５ｍｍであることを特徴とする請求項１ないし７のいずれかに記載のインキ噴霧装置。
【請求項９】
インキ誘導芯の先端位置が、前記オリフィス内縁のインキ誘導芯軸方向中心部からインキ誘導芯軸中心方向に向かう垂直線とインキ芯軸との交点を基準として、インキ誘導芯軸方向に外側に３．５ｍｍないし内側に１ｍｍの範囲の位置にあることを特徴とする請求項１ないし８のいずれかに記載のインキ噴霧装置。
【請求項１０】
空気ポンプ（Ｃ）がケーシング（Ｂ）他端の外縁部に装着されていることを特徴とする請求項１ないし９のいずれかに記載のインキ噴霧装置。
【請求項１１】
空気ポンプ（Ｃ）の中空部外形が球状又はナス型である請求項１ないし１０のいずれかに記載のインキ噴霧装置。
【請求項１２】
空気ポンプ（Ｃ）の中空部内容積が１５〜１００ｍｌである請求項１ないし１１のいずれかに記載のインキ噴霧装置。
【請求項１３】
空気ポンプ（Ｃ）が天然ゴム、合成ゴム、ポリエチレンとエチレンビニルアセテートの混合樹脂、ポリオレフィン系エラストマー、及びポリスチレン系エラストマーのいずれか１種以上により形成されていることを特徴とする請求項１ないし１２のいずれかに記載のインキ噴霧装置。
【発明の詳細な説明】
【技術分野】
【０００１】
本発明は、インキの噴霧装置に関するもので、より詳細には空気ポンプを使用してケーシング内に圧縮空気を供給して、ケーシングの一端部近傍に設けられたオリフィスの内縁近傍に位置するインキ誘導芯先端部からインキを飛散させて霧状にし、紙、画紙、画布などに吹き付けるインキの噴霧装置に関するものである。
【背景技術】
【０００２】
従来から圧縮空気を使用して塗料、絵の具、インキ等を吹き付ける器具はエアーブラシとして広く知られている。彩色用のエアーブラシとしては液化ガスを充填したスプレー缶や、エアーブラシにインキ供給源と、及び流量調節弁を介して空気ボンベとを接続したもの等が使用されている。例えば噴射口を備えたペンホルダー内に、穂先をフェルトやファイバーで形成し、顔料を油性または水性溶剤に溶かしたカラーインキを充填したカラーペンを収容して、ホルダーの基部側面に備えた給気口から圧縮空気を供給するようにした液状物の噴霧機構が知られている（特許文献１参照）。
【０００３】
インキ貯蔵型のペンを管状ハウジングの中に配置させて、該ハウジングの一端に空気を流通させる口金を設け、他端に排出オリフィスを設けて、該オリフィスの境界中にペン先を保持するようにした液体分与装置が知られている（特許文献２参照）。
又、噴射させる高圧空気を外部から供給せずに自ら発生させるエアーブラシ、すなわちモータと、回転運動を往復運動に変換する機構を介して該モータと接続する高圧空気発生装置と、高圧空気発生装置からエアーノズルへ高圧空気を送るチューブと、電池とをケースに内蔵するとともに、ペン先がエアーノズルの空気噴射口に近接するように筆記具を保持するペンホルダーをケースの外部に一体的に設けたことを特徴とするエアーブラシが知られている(特許文献３参照)。
更に、ペンホルダーをそれぞれプラスチック製の外側円筒部材と、内側円筒部材と、ノズル部材と、ペン先ホルダー部材との４部材で構成して、適宜の径を具えた外側円筒部材と内側円筒部材を伸縮と着脱を自在にして嵌合させることにより、サイズの異なるペンを使用できるようにしたエアーブラシが知られている(特許文献４参照)。
【０００４】
【特許文献１】特開昭６１−４２３５０号公報
【特許文献２】特表平８−５１０１６２号公報
【特許文献３】特開平１１−４７６４４号公報
【特許文献４】特開２０００−７９３６０号公報
【発明の開示】
【発明が解決しようとする課題】
【０００５】
しかし、液化ガスを充填したスプレー缶は、液化ガスとして可燃性ガス又はフロンガス等を使用するという問題点がある。一方、配管を使用して空気ボンベと接続したエアーブラシは取り扱いが煩雑である。
例えば、特許文献１に記載の液状物の噴霧機構は、液状物を繊維質に含浸させた後に、高圧空気を吹き付けて霧化するが、この場合において筆記具全体を収容するシリンダ内にホースで接続されている高圧空気源から空気を吹き付ける必要があり、高圧空気源を用意する必要がある。
特許文献２に記載の液体分与装置においては、管状ハウジングの一端に位置する口金から空気を流入するが、空気の流入は人間が該口金から口で吹くことにより行うものと理解される。空気の流入を人間が口で吹いて行う場合には空気量が個人差によるバラツキがあるのでノズルとペン先先端の位置決めが難しいばかりでなく、目視により所定の噴霧位置に噴霧させるのが困難な場合があり、またケーシング内壁に人間の排気による結露が生ずると、水滴がボタ落ちして紙面が汚れる等の問題があり、更に複数の人間が共有して使用すると衛生上の問題もある。特許文献３に記載の、高圧空気発生装置を内蔵したエアーブラシはエアーホースやエアーボンベが不要であるメリットはあるが、エアーブラシ内に電池とモータが内蔵されているので重量があることと、インキの噴射量と噴射角度を調節するための、ペン先形状の選択、ペン先と空気噴射口の位置決めが容易でない等の問題点がある。特許文献４に記載のエアーブラシはエアーボンベから空気を吹き付けるので空気量の調節が困難であるという問題点がある。
本発明の目的は、上記した課題を解決して、取り扱いが容易でかつインキの噴霧量の調節が容易なインキ噴霧装置を提供することにある。
【課題を解決するための手段】
【０００６】
本発明者らは、上記事情に鑑み、インキ貯蔵体に設けられたインキ誘導芯の先端を、ケーシングの端部近傍に配設されたオリフィス内縁近傍に配置させて、中空弾性体からなる空気ポンプを用いて圧縮空気を管状ケーシング内に流入させる構成のエアーブラシとすることにより、上記課題を解決できることを見出し、本発明を完成させた。
【０００７】
すなわち、本発明は、少なくとも、一端部から一部が突出して設けられた円柱状のインキ誘導芯を有するインキ貯蔵体（Ａ）、一端部近傍にオリフィスを有する管状又は多角柱形状のケーシング（Ｂ）、及びケーシング（Ｂ）内に圧縮空気を供給する中空弾性体からなる空気ポンプ（Ｃ）から構成されるインキ噴霧装置であって、
（ｉ）インキ貯蔵体（Ａ）の一部又は全部を覆い、かつ前記オリフィス形状の内縁近傍にインキ貯蔵体（Ａ）のインキ誘導芯の先端を位置させるようにケーシング（Ｂ）を配置させ、
（ii）ケーシング（Ｂ）の他端部に空気ポンプ（Ｃ）を装着してケーシング（Ｂ）のオリフィス部に圧縮空気供給可能な構造とし、
（iii）該圧縮空気をケーシング（Ｂ）のオリフィス部に供給することによりインキ誘導芯先端からインキ噴霧が可能な
インキ噴霧装置（Ｄ）に関する発明である。
【０００８】
本発明のインキ噴霧装置においては、更に
（１）インキ貯蔵体（Ａ）のインキ貯蔵容器部外形が円柱状又は多角柱状であること、
（２）インキ貯蔵容器内のインキ貯蔵が直液式又はインキ吸蔵体方式であること、
（３）インキ誘導芯が多数の繊維状物を収束して自己融着もしくは接着剤により部分的に接着して一体化し、その網目状空隙をインキ流路として形成する繊維体であること、
（４）インキ誘導芯の先端部形状が円錐形状であり、その円錐部の角度が１０〜１２０度であること、
（５）前記円形のオリフィスがケーシング（Ｂ）の先端より内側に向かって突出するように設けられた凹部の中央部に配置されていること
（６）前記円形のオリフィス径が２〜５ｍｍであること、
（７）前記インキ誘導芯の先端円錐面と前記オリフィスの内縁との直近距離が０．５〜２．５ｍｍであること
（８）インキ誘導芯の先端位置が、ケーシング（Ｂ）のオリフィスの内縁のインキ芯軸方向中心部からインキ芯軸中心方向に向かう垂直線とインキ芯軸との交点を基準として、インキ誘導芯軸方向に外側に３．５ｍｍないし内側に１ｍｍの範囲の位置にあること
（９）空気ポンプ（Ｃ）がケーシング（Ｂ）他端の外縁部に装着されていること
（１０）空気ポンプ（Ｃ）の中空部外形が球状又はナス型であること
（１１）空気ポンプ（Ｃ）の中空部内容積が１５〜１００ｍｌであること
（１２）空気ポンプ（Ｃ）が天然ゴム、合成ゴム、ポリエチレンとエチレンビニルアセテートの混合樹脂、ポリオレフィン系エラストマー、及びポリスチレン系エラストマーのいずれか１種以上により形成されていること
が望ましい。
【発明の効果】
【０００９】
本発明のインキ噴霧装置を使用することにより、極めて容易に紙、画紙、画布などにインキを霧状にして吹き付けることができる。インキ貯蔵体（Ａ）の取替えにより、種々のインキの色を噴霧することができる。また、インキの噴霧手段である圧縮空気の供給量は空気ポンプの弾性体部分を手で圧縮変形させる速度を調節することにより、容易に制御が可能である。更に、従来使用されてきた外部に空気ポンプを有するエアーブラシと異なり、児童でも容易に取り扱うことができる。
【発明を実施するための最良の形態】
【００１０】
以下に本発明を実施するための好ましい態様について詳述する。
本発明のインキ噴霧装置（Ｄ）は、
少なくとも、一端部から一部が突出して設けられた円柱状のインキ誘導芯を有するインキ貯蔵体（Ａ）、一端部近傍に円形のオリフィスを有する管状又は多角柱形状のケーシング（Ｂ）、及びケーシング（Ｂ）内に圧縮空気を供給する中空弾性体からなる空気ポンプ（Ｃ）から構成されるインキ噴霧装置であって、
（ｉ）インキ貯蔵体（Ａ）の一部又は全部を覆い、かつ前記オリフィスの内縁近傍にインキ貯蔵体（Ａ）のインキ誘導芯の先端を位置させるようにケーシング（Ｂ）を配置させ、
（ii）ケーシング（Ｂ）の他端部に空気ポンプ（Ｃ）を装着してケーシング（Ｂ）のオリフィス部に圧縮空気供給可能な構造とし、
（iii）該圧縮空気をケーシング（Ｂ）のオリフィス部に供給することによりインキ誘導芯先端部からインキ噴霧が可能
なことを特徴とする。
本発明の好ましい態様であるインキ噴霧装置（Ｄ）を図１の断面図に示す。図１に示すインキ噴霧装置は、インキ貯蔵体１、ケーシング６、及び空気ポンプ８から構成される。  インキ貯蔵体１は、インキ誘導芯２、インキ貯蔵容器３、インキ貯蔵部４、尾栓５から構成される。ケーシング６には、オリフィス７が端部近傍に設けられ、インキ貯蔵体１を保持するために図２の拡大断面図（図１におけるＡ−Ａ矢視図）に示すリブ９が設けられている。  
【００１１】
以下に本発明を詳述する。
本発明に使用するインキ貯蔵体（Ａ）は、一端部から一部が突出して設けられた円柱状のインキ誘導芯と、インキを貯蔵するインキ貯蔵容器部からなり、従来から広く使用されている筆記用マーカーと同形態のものである。
インキ貯蔵容器のインキ貯蔵は、直液式（生インキ方式）とインキ吸蔵体方式のいずれも使用することができる。インキ吸蔵体方式は、例えば、公知のポリエチレンテレフタレート、ポリアクリロニトリル、ポリプロピレン等の繊維をフィルム巻き、コーティング、自己溶着、硬化剤固定、繊維絡み合い等の方式でインキ吸蔵体を形成してインキ貯蔵容器内に装着し、インキをこれらの吸蔵体に吸蔵させる方式であり、直液式（生インキ方式）はこれらの吸蔵体を使用しないで直接インキ貯蔵容器内に貯蔵する方式である。
尚、インキ貯蔵容器部は、例えば、特公昭５０−３７５７１号公報に開示されているような公知の方法により作製することができる。
インキ貯蔵容器部の外形形状は、特に制限を受けるものではないが、通常、円柱状または多角柱状が好ましい。インキ貯蔵部は、その外側円周部を熱可塑性樹脂、例えばポリエチレン、ポリプロピレン等のシート・フィルム等のインキ貯蔵容器で覆われている。
インキ貯蔵容器内のインキ貯蔵部に貯蔵するインキは、油溶性インキと水溶性インキのいずれも使用が可能である。前記水溶性染料としては、酸性染料、塩基性染料、直接染料等を例示することができる。
【００１２】
本発明で使用するインキ誘導芯は、インキ貯蔵体（Ａ）の一端部から一部が突出して設けられた円柱状のものである。
該インキ誘導芯は、油溶性インキ又は水溶性インキが含浸可能で、圧縮空気をその先端に吹き付けることにより、インキ誘導芯からインキが脱離して霧化するものであれば使用可能である。
インキ誘導芯の形状は、円柱状でその先端部が円錐形状であることが好ましい。該円柱形状部の外径は２〜８ｍｍで、その先端円錐部の角度は１０〜１２０度、特に１５〜６０度であることが好ましい。
該先端円錐部の角度を前記範囲とすることにより、空気の流れを利用してインキ誘導芯からインキを効率よく脱離して、霧化することができる。
尚、インキ誘導芯の先端部と相対する他端部はインキ貯蔵部に挿入されて、インキが含浸可能な構造となっていればよく、一般的にインキ誘導芯はインキ貯蔵部に少なくとも３ｍｍ以上、特に５ｍｍ以上挿入されているのが望ましい。
本発明のインキ誘導芯は、公知のインキ誘導芯が使用でき、多数の繊維状物を収束して自己融着もしくは接着剤により部分的に接着して一体化し、その網目状空隙をインキ流路として形成する繊維体であることが望ましい。例えば、特公昭５３−１６７３６号公報に開示されている繊維束ペン先の製造方法により作製することができる。
前記繊維状物としては、ポリエステル系繊維、又はポリアミド系繊維の使用が好ましい。
インキ噴霧装置（Ｄ）を使用しないときは、インキ貯蔵体（Ａ）をケーシング（Ｂ）から取り外し、インキ誘導芯部にキャップをかぶせることによりインキの蒸発による損失を防止できる。
【００１３】
本発明で使用するケーシング（Ｂ）は、インキ貯蔵体（Ａ）と空気ポンプ（Ｃ）の保持、及びケーシング（Ｂ）の一端部近傍に設けられたオリフィス形状によりインキ誘導芯先端部に圧縮空気を吹き付けるように空気の流れを作る構造を有するものである。ケーシング（Ｂ）の形状は、その内部にインキ貯蔵体（Ａ）を保持し、かつケーシング（Ｂ）とインキ貯蔵体（Ａ）との間には圧縮空気の流れを確保できる間隙を設けることが必要である。ケーシング（Ｂ）内にインキ貯蔵体（Ａ）を保持する手段としては特に限定されるものではないが、図２に示すようにケーシング（Ｂ）内にリブ９を設けて保持する手段が例示できる。また、空気ポンプ（Ｃ）の保持も特に限定されるものではないが、例えば図１に示すように、ケーシング（Ｂ）他端の外縁部に装着することができる。ケーシング（Ｂ）の外形は、特に制限はないが操作性、成形性の点から管状又は多角柱形状が好ましく、管状の場合その外径は１０〜３０ｍｍ程度が好ましい。またその長さも操作性の点から６０〜１５０ｍｍ程度が好ましい。ケーシング（Ｂ）を形成する材料は、特に制限はないがポリスチレン、ポリオレフィン、ＡＢＳ樹脂、ＡＳ樹脂、ポリカーボネート等のプラスチックが使用できる。ケーシング（Ｂ）は透明、半透明、着色不透明のいずれであってもよいが、内部に保持しているインキ貯蔵体が目視できるように透明又は半透明が好ましい。
【００１４】
ケーシング（Ｂ）の一端部近傍に位置する円形のオリフィスは、インキ誘導芯先端部に圧縮空気を吹き付けるように空気の流れを作る機能を有するものであればよく、オリフィス部分の拡大図である第４図に示すオリフィス径ｄは、２〜５ｍｍが好ましい。
また、前記円形のオリフィスは、ケーシング（Ｂ）の先端より内側に向かって突出するように設けられた凹部の中央部に設けることが好ましい。このような凹部形状とすることにより、インキ誘導芯の先端をケーシング（Ｂ）の先端よりオリフィス側に位置させてインキ誘導芯の先端を損傷から保護することが可能になる。
更に、ケーシング（Ｂ）のオリフィス部を含む部位を取り外し自由な構造として、オリフィス径又はオリフィス位置を変更可能な構造とすることもできる。
インキ誘導芯の先端位置とケーシング（Ｂ）のオリフィス部の相対的な位置決定は、圧縮空気をインキ誘導芯の円錐形状部に吹き付け、インキを効率よく噴霧するために重要である。
第４図に示す、前記インキ誘導芯の先端部円錐面と前記オリフィスの内縁との直近距離ｌは、０．５〜２．５ｍｍ、特に０．６〜１．２ｍｍであることが好ましい。直近距離ｌを上記範囲とすることにより、空気の流速が増加して、インキ誘導芯の先端位置からインキを効率よく脱離して、霧化することができる。
インキ誘導芯の先端円錐部の角度は前記１０〜１２０度とし、更に、図４に示す、インキ誘導芯の先端位置は、ケーシング（Ｂ）のオリフィスの内縁のインキ芯軸方向中心部からインキ芯軸中心方向に向かう垂直線とインキ芯軸との交点を基準として、該交点からの距離をｔとすると、該ｔは、インキ芯軸方向に外側に３．５ｍｍ以内、又は内側に１ｍｍ以内であることが好ましい。
インキ誘導芯の先端位置を上記範囲に位置とすることにより、インキ誘導芯の先端位置からインキを効率よく脱離して、霧化することができる。  
【００１５】
空気ポンプ（Ｃ）は、ケーシング（Ｂ）内に圧縮空気を供給する機能を有する。
中空弾性体からなる空気ポンプ（Ｃ）は、中空部を手で挟みこんで押し込むことにより、弾性体内の空気をケーシング（Ｂ）内に供給するためにはその中空部外形形状が球状又はナス型が好ましい。また、空気ポンプ（Ｃ）の該中空部の内容積は１５〜１００ｍｌ、特に３０〜９０ｍｌが好ましい。中空部の内容積が前記１０ｍｌ未満であると押し込みにより供給できる空気量は少なく、その結果噴霧するインキ量が過少となる。一方、１００ｍｌを越えると空気プンプの外径が大きくなり、片手で操作しにくくなり好ましくない。
空気ポンプ（Ｃ）には、中空部を一端押し込んだ後に弾性体がもとの形状に戻る際に空気がインキ誘導芯近傍から中空弾性体内に逆流するのを防止するために、中空弾性体部に空気を直接取り込める空気導入口を設けた構造とし、更に（１）該中空部とケーシング（Ｂ）との接続部の間と、（２）空気導入口部分に、それぞれ逆流防止弁を設けることができる。
すなわち、前記（１）中空部とケーシング（Ｂ）との接続部の間には、中空弾性体からケーシング（Ｂ）方向のみに空気が流れ、ケーシング（Ｂ）から中空弾性体方向の空気の流れを防止する逆流防止弁（Ｖ１）、及び前記（２）空気導入口部分に中空弾性体外部から中空部内に（ケーシング（Ｂ）を介さないで）直接空気が取り込め、中空弾性体から外部に空気が直接流出しない逆流防止弁（Ｖ２）を設けることができる。これらの逆流防止弁としては、チャッキ弁等の公知のものが使用できる。
空気ポンプ（Ｃ）の弾性体としては、特に限定されるものではないが天然ゴム、合成ゴム、ポリエチレンとエチレンビニルアセテートの混合樹脂、ポリオレフィン系エラストマー、及びポリスチレン系エラストマーのいずれか１種以上より形成されていることが好ましい。
【００１６】
本発明のインキ噴霧装置は、流通段階においては、いわゆる筆記用マーカー部分に相当するインキ貯蔵部（Ａ）とケーシング（Ｂ）と空気ポンプ（Ｃ）とに分けて包装し、使用の際にインキ貯蔵部（Ａ）のインキ誘導芯部のキャップを取り外して、ケーシング（Ｂ）内に装着し、その後、ケーシング（Ｂ）に空気ポンプ（Ｃ）を取付けて使用することができる。インキ貯蔵部（Ａ）は、スペアー用として種々の色のインキが貯蔵されたものを用意して、インキ貯蔵部（Ａ）を取り替えて使用することにより、紙、画紙、画布などに多色のぼかしを描くことができる。
【実施例１】
【００１７】
本発明を次の実施例により説明するが、本発明は下記実施例に限定されるものではない。 
（１）インキ噴霧装置
本実施例に使用した図１〜４に示すインキ貯蔵体、ケーシング、及び空気ポンプからなるインキ噴霧装置は以下の通りである。
（ｉ）インキ貯蔵体
図１の断面図に示すように、インキ貯蔵体１は、インキ誘導芯２とインキ貯蔵容器３からなり、インキ貯蔵容器部の全体の長さ（インキ誘導芯部を除く）が７０ｍｍであり、その円柱形状の外径が１３ｍｍである。
インキ貯蔵容器３の内部には、ポリアミド繊維体に水性インキ（東亜教材（株）製）を吸蔵させた、外径が１０ｍｍの円柱形状インキ貯蔵部４が配置されている。
インキ誘導芯２は、ポリアミド繊維体より作製され（長さ：２７ｍｍ、円柱形状部の径：４ｍｍ、（株）根岸製作所製）、該インキ誘導芯の先端部の円錐形状部の円錐角度は２５度であり、先端と相対する端部の５ｍｍはインキ貯蔵部内に浸漬されている。
【００１８】
（ii）ケーシング
図１に示すケーシング６は、外径が１９ｍｍ、全体の長さが８６ｍｍである。インキ貯蔵体１の保持部は、拡大断面図である図２（図１のＡ−Ａ矢視図）に示すように４方向にリブを設けて保持する構造としている。尚、図３は、リブが設けられていないケーシング部円周方向（図１のＢ−Ｂ矢視図）の拡大断面図である。
オリフィス径ｄは３．５ｍｍで、インキ誘導芯の先端位置は、ケーシング（Ｂ）のオリフィスの内縁のインキ芯軸方向中心部からインキ芯軸中心方向に向かう垂直線とインキ芯軸との交点と、インキ誘導芯先端位置との距離ｔで、ケーシング６の外側に向かって２ｍｍの位置とした。また、インキ誘導芯の先端部円錐面と前記オリフィスの内縁との直近距離ｌは０．７５ｍｍとした。
（iii）空気ポンプ
図１に示す空気ポンプ８は、中空部の内容積が４０ｍｌであり、シリコンゴムにより形成されている。
（２）インキの噴霧
上記したインキ噴霧装置を使用してインキを噴霧した。
小型コンプレッサーを使用する市販の金属製ハンドピースを用いた場合と同様のインキ噴霧状態を得ることができ、かつ空気ポンプを押し込む速度次第でインキ噴霧量を調節することができた。
【産業上の利用可能性】
【００１９】
本発明のインキ噴霧装置は、種々の色のインキが貯蔵されたインキ貯蔵体を使用することにより、紙、画紙、画布などに多色のぼかしを描くことができる。
【図面の簡単な説明】
【００２０】
【図１】本発明のインキ噴霧装置の断面図
【図２】ケーシングのインキ貯蔵体保持部の円周方向（図１のＡ−Ａ矢視）拡大断面図
【図３】ケーシングの円周方向（図１のＢ−Ｂ矢視）拡大断面図
【図４】インキ噴霧装置のオリフィス近傍拡大図
【符号の説明】
【００２１】
１  インキ貯蔵体
２  インキ誘導芯
３  インキ貯蔵容器
４  インキ貯蔵部
５  尾栓
６  ケーシング
７  オリフィス
８  空気ポンプ
９  ケーシングリブ
【図１】
2005205345.tif 000003
【図２】
2005205345.tif 000004
【図３】
2005205345.tif 000005
【図４】
2005205345.tif 000006